(57)【要約】【課題】外部にもつバススイッチを削除することができ、停止タイミングの信頼性を確保できるテレビジョン受信機を提供することを目的とする。【解決手段】第２のＣＰＵを有する第２の信号処理部と、電圧Ａが印加されている第１のＣＰＵを有する第１の信号処理部を有するテレビジョン受信機において、リモコンによる電源オフ指令もしくは予約録画の実行の終了には、第２の信号処理部の電源がオフしており、また第２のＣＰＵには常に電源が入っており、リモコンがオフしたことをもとに第１のＣＰＵに映像信号出力停止要求信号を出して、その要求信号を元に映像信号を停止し第１のＣＰＵから映像信号出力停止要求信号結果通知を受けてから第１の信号処理部の電圧Ａを落とす構成をもつことにより、外部にもつバススイッチを削除することができ、さらに通信により、停止タイミングの信頼性を確保できる。【選択図】図１
2007288633.tif 000002
【特許請求の範囲】
【請求項１】
デジタル放送信号に基いて映像信号を作成する第１の信号処理部と、
前記第１の信号処理部の出力に基いて表示デバイスへ供給する信号を作成する第２の信号処理部と、
後述する第２のＣＰＵから受信した映像信号出力停止要求信号に基いて前記第１の信号処理部の出力を停止させ映像信号出力停止要求信号結果通知を前記第２のＣＰＵに対して送信する第１のＣＰＵと、
リモコンによる電源オフ指令または予約録画の実行の終了に基いて映像信号出力停止要求信号を前記第１のＣＰＵに対して送信し前記第１のＣＰＵから受信した映像信号出力停止要求信号結果通知に基いて電源部に対して前記第２の信号処理部の電源供給停止指令および前記第１の信号処理部の電源供給停止指令を出力する第２のＣＰＵと、
を有するテレビジョン受信機。
【請求項２】
前記第２のＣＰＵは、ＡＣオフまたは主電源オフに基いて前記第１の信号処理部に対して映像信号出力停止要求のための割込信号を出力し、電源部に対して前記第１の信号処理部の電源供給停止指令を出力する請求項１記載のテレビジョン受信機。
【発明の詳細な説明】
【技術分野】
【０００１】
本発明は、デジタルチューナブロックの映像信号出力をマイコン通信で制御するものである。
【背景技術】
【０００２】
最近、デジタルチューナブロックを内蔵したテレビジョン受信機が製造販売されている（例えば特許文献１参照。）。
【０００３】
従来、テレビジョン受信機はＮＡＮＤフラッシュメモリを使用しているため、デジタルチューナブロックの電源をオフする際に、一定の時間電源を保持させてメモリの終了処理を行わなければならない。そのためデジタルチューナブロック、テレビ側信号処理ブロック間で電源シーケンスがオフ時に時間差が生じる場合がある。
【０００４】
図４は従来のテレビジョン受信機の構成を示すブロック図である。１は第１の信号処理部、２は第２の信号処理部、３は第１のＣＰＵ、４は第２のＣＰＵ、５はＥＥＰＲＯＭ、６は外部入力、７は表示デバイス、８は電圧Ａ、９は電圧Ｂ、１０は電圧Ｃ、１１は映像信号、１２はバススイッチ、１３はデジタル放送信号、２０はＮＡＮＤフラッシュメモリ、１００はデジタルチューナブロック、２００はテレビ側信号処理ブロック、３００は電源部である。
【特許文献１】特開２００４−３４９７９０号公報
【発明の開示】
【発明が解決しようとする課題】
【０００５】
しかしながら上記の従来の構成では、デジタルチューナブロック１００の電源（電圧Ａ）をオフする際には、ＮＡＮＤフラッシュメモリ２０を使用するために一定の時間保持させてメモリの終了処理を行わなければならず、第１の信号処理部１より第２の信号処理部２の電源が早く落ちることにより、第２の信号処理部２に映像信号１１等の電流が流れ込んでしまい、信頼性が確保できないという問題点を有していた。
【０００６】
また、早く電源の落ちる第２の信号処理部２に電流が流れ込まないように第１の信号処理部の出力にバススイッチ１２を設置し、テレビ側信号処理ブロック２００から第２のＣＰＵ４のポートを用いて強制的に映像信号の停止を行うこともできるが、部品点数が増え、コストアップにつながるという問題点を有していた。
【０００７】
本発明は上記従来の問題点を解決するもので、外部にもつバススイッチを削除することができ、停止タイミングの信頼性を確保できるテレビジョン受信機を提供することを目的とする。
【課題を解決するための手段】
【０００８】
この目的を達成するために本発明のテレビジョン受信機は、デジタル放送信号に基いて映像信号を作成する第１の信号処理部と、前記第１の信号処理部の出力に基いて表示デバイスへ供給する信号を作成する第２の信号処理部と、後述する第２のＣＰＵから受信した映像信号出力停止要求信号に基いて前記第１の信号処理部の出力を停止させ映像信号出力停止要求信号結果通知を前記第２のＣＰＵに対して送信する第１のＣＰＵと、リモコンによる電源オフ指令または予約録画の実行の終了に基いて映像信号出力停止要求信号を前記第１のＣＰＵに対して送信し前記第１のＣＰＵから受信した映像信号出力停止要求信号結果通知に基いて電源部に対して前記第２の信号処理部の電源供給停止指令および前記第１の信号処理部の電源供給停止指令を出力する第２のＣＰＵと、を備えた構成を有している。
【０００９】
また、前記第２のＣＰＵは、ＡＣオフまたは主電源オフに基いて前記第１の信号処理部に対して映像信号出力停止要求のための割込信号を出力し、電源部に対して前記第１の信号処理部の電源供給停止指令を出力する構成を有している。
【発明の効果】
【００１０】
以上のように本発明は、外部にもつバススイッチを削除することができ、さらに通信をすることにより停止タイミングの信頼性を確保できるという優れた効果が得られる。
【発明を実施するための最良の形態】
【００１１】
（実施の形態１）
図１は本発明の実施の形態１におけるテレビジョン受信機の構成を示すブロック図である。１は第１の信号処理部、２は第２の信号処理部、３は第１のＣＰＵ、４は第２のＣＰＵ、５はＥＥＰＲＯＭ、６は外部入力、７は表示デバイス、８は電圧Ａ、９は電圧Ｂ、１０は電圧Ｃ、１１は映像信号、１３はデジタル放送信号、１４は割込信号Ａ、２０はＮＡＮＤフラッシュメモリ、１００はデジタルチューナブロック、２００はテレビ側信号処理ブロック、３００は電源部である。
【００１２】
図２は本発明の実施の形態１におけるリモコンによる電源オフ指令または予約録画の実行の終了時のシーケンス図である。リモコンによる電源オフ指令もしくは予約録画の実行の終了には、第２のＣＰＵは常に電源が入っており、リモコンがオフしたことをもとに第１のＣＰＵ３に映像信号出力停止要求信号を出して、その要求信号に基いて映像信号出力を停止し第１のＣＰＵ３から映像信号出力停止要求信号結果通知を受けてから第１の信号処理部１の電圧Ａを落とす。
【００１３】
図３は本発明の実施の形態１におけるＡＣオフまたは主電源オフ時のシーケンス図である。ＡＣオフまたは主電源オフの時には通信ができないので、ＮＡＮＤフラッシュメモリの終了処理用の電源断割り込み信号などの割込信号Ａを使って、映像信号を停止する。
【産業上の利用可能性】
【００１４】
本発明のテレビジョン受信機は、外部にもつバススイッチを削除することができ、さらに通信をすることにより停止タイミングの信頼性を確保できるという優れた効果を有しているため、デジタルチューナブロックを内蔵したテレビジョン受信機等において有用である。
【図面の簡単な説明】
【００１５】
【図１】本発明の実施の形態１におけるテレビジョン受信機の構成を示すブロック図
【図２】本発明の実施の形態１におけるリモコンによる電源オフ指令または予約録画の実行の終了時のシーケンス図
【図３】本発明の実施の形態１におけるＡＣオフまたは主電源オフ時のシーケンス図
【図４】従来のテレビジョン受信機の構成を示すブロック図
【符号の説明】
【００１６】
１    第１の信号処理部
２    第２の信号処理部
３    第１のＣＰＵ
４    第２のＣＰＵ
５    ＥＥＰＲＯＭ
６    外部入力
７    表示デバイス
８    電圧Ａ
９    電圧Ｂ
１０    電圧Ｃ
１１    映像信号
１３    デジタル放送信号
１４    割込信号Ａ
２０    ＮＡＮＤフラッシュメモリ
１００    デジタルチューナブロック
２００    テレビ側信号処理ブロック
３００    電源部
【図１】
2007288633.tif 000003
【図２】
2007288633.tif 000004
【図３】
2007288633.tif 000005
【図４】
2007288633.tif 000006